(57)【特許請求の範囲】
【請求項１】
空気を通さない上方シートと、空気を通さない下方シートと、２つの細長い開口と、少なくとも１つの入口ポートと、複数の孔とを備える下敷ブランケットであり、前記上方シートと前記下方シートとがそれらの外縁部において互いに接合されて膨張可能な構造を形成し、前記構造が外縁部を有し、前記構造の前記外縁部がその内側に頭部と、胴部と、足部とを画定し、前記頭部と前記足部の各々の両縦方向辺が、前記胴部の対向辺から前記構造の頭端と足端までの間で、テーパ状に互いに徐々に近づくようになっていて、前記構造の内部における空気流を促進する前記構造のための形状構成を作り、前記２つの細長い開口のおのおのは、該各開口を取り囲む対応する輪状シール部によって形成される幅と長さを有し、各輪状シール部は、実質的に前記胴部の縦方向に沿って縦に延びる長さを有し、前記胴部に設けられた非膨張エリアが前記２つの細長い開口の間に挟まれていて、患者が当該ブランケットの前記上方シートに載せられている時に患者の胴が前記非膨張エリアに載るように構成され、前記入口ポートが前記構造に設けられ、前記複数の孔が前記上方シートに形成され、前記構造を膨らませるために前記入口ポートを介して入れられた加熱された空気を前記複数の孔が逃がし、前記複数の孔が複数の孔列を含み、前記複数の孔列が前記非膨張エリアの縦辺に沿ってそれらの近傍に設けられていて、前記構造が膨らまされた状態の時に前記複数の孔列が患者に向き、したがって前記複数の孔列から出る加熱された空気が患者に送られ、前記複数の孔列のおのおのは、前記非膨張エリアと前記細長い開口の対応する一つとの間において実質的に前記胴部に沿って位置する下敷ブランケット。
【請求項２】
前記構造の前記頭部と前記足部のおのおのは、等脚台形の形状であり、前記頭部は、前記とは別の輪状シール部により画成される前記とは別の開口を含む頭エリアを有する請求項１に記載の下敷ブランケット。
【請求項３】
前記頭エリアにおける前記開口の少なくとも一部分に隣接する位置にて、前記上方シートに前記とは別の複数の孔が設けられている請求項２に記載の下敷ブランケット。
【請求項４】
圧力低下を引起して前記構造の内部において加熱された空気のより均一な流れを前記足部で促進するために、前記とは別の複数の孔が前記足部に設けられている請求項１に記載の下敷ブランケット。
【請求項５】
少なくとも１つのフラップをさらに備え、前記フラップが前記下方シートの下面に固定的に取付けられた少なくとも１つの縁を有し、前記フラップが前記構造の下面に密着保持されていない時に当該ブランケットのための支持体の表面に当該ブランケットを留めるために前記フラップを使用することができる請求項１に記載の下敷ブランケット。
【請求項６】
２つのフラップをさらに備え、前記フラップの各々が縦方向縁を有し、前記２つの細長い開口のうちの対応する開口の前記非膨張エリアに向く辺に隣接する位置にて前記縦方向縁が前記下方シートの下面に固定的に取付けられている請求項１に記載の下敷ブランケット。
【請求項７】
前記２つの細長い開口の各々に係る輪状シール部には、縦方向におけるその端の各々の位置にて、封止された穴が形成され、前記封止された穴が前記２つの細長い開口の各々の歪みを軽減するよう働き、当該ブランケットの外縁と前記２つの細長い開口の各々との間の位置において複数の孔の複数の組が前記上方シートに設けられている請求項１に記載の下敷ブランケット。
【請求項８】
２つの入口ポートが設けられており、前記２つの入口ポートのうちの一方が前記構造の前記頭部における外縁に設けられ、前記２つの入口ポートのうちの他方が前記構造の前記足部における外縁に設けられ、前記２つの入口ポートの各々が当該ブランケットに空気を入れるために使用できる請求項１に記載の下敷ブランケット。
【請求項９】
空気を通さない上方シートと、空気を通さない下方シートと、２つの細長い開口と、少なくとも１つの入口ポートと、複数の孔列とを備える対流式ブランケットであり、前記上方シートと前記下方シートとがそれらの外縁部において接合されて膨張可能な構造を形成し、前記構造が胴部と、頭部と、足部とを有し、前記胴部は実質的に長方形をしており、徐々に細くなるテーパの態様で前記頭部が前記胴部の１つの辺から当該ブランケットの頭端まで延び、徐々に細くなるテーパの態様で前記足部が前記胴部の他の辺から当該ブランケットの足端まで延び、したがって当該ブランケットの前記頭端と前記足端の各々の幅は前記胴部の幅よりも狭く、前記胴部が非膨張エリアを有し、前記２つの細長い開口が実質的に前記胴部の縦方向に沿って延び、前記２つの細長い開口のおのおのは、対応する輪状シール部によって形成される幅と長さを有し、前記非膨張エリアが前記２つの細長い開口の間に挟まれており、前記入口ポートが加熱された空気を前記構造に入れて当該ブランケットを膨らませることを可能にし、前記非膨張エリアと前記２つの細長い開口の各々との間で当該ブランケットが膨らまされた状態の時に患者に向く位置において、前記複数の孔列が前記胴部に沿って設けられ、したがって前記複数の孔列から出る加熱された空気が前記非膨張エリアに向かう対流式ブランケット。
【請求項１０】
前記頭部と前記足部のおのおのは、等脚台形の形状であり、前記頭部は、開口を備えている請求項９に記載の対流式ブランケット。
【請求項１１】
前記頭エリアにおける前記開口の少なくとも一部分に隣接する位置に複数の孔が設けられており、前記複数の孔が加熱された空気を前記頭エリアに向ける請求項１０に記載の対流式ブランケット。
【請求項１２】
２つのフラップをさらに備え、前記フラップの各々が縦方向縁を有し、前記２つの細長い開口のうちの対応する開口と前記非膨張エリアとの間の位置において前記縦方向縁が当該ブランケットの下面に固定的に取付けられている請求項９に記載の対流式ブランケット。
【請求項１３】
当該ブランケットの前記足部において圧力低下を引起して当該ブランケットの内部において加熱された空気のより均一に分布する流れを得るために、前記足端と前記足部に隣接する位置に複数の孔が設けられている請求項９に記載の対流式ブランケット。
【請求項１４】
複数の孔の２つの組をさらに備え、前記２つの細長い開口のうちの対応する開口と、前記胴部を画成する前記構造の縦方向外縁との間の位置において、前記複数の孔の各組が前記上方シートに設けられている請求項９に記載の対流式ブランケット。
【請求項１５】
輪状シール部により前記２つの細長い開口の各々が画成され、前記輪状シール部には縦方向におけるその端の各々の位置にて封止された穴が形成され、前記封止された穴が前記２つの細長い開口の各々の歪みを軽減するよう働く請求項９に記載の対流式ブランケット。
【請求項１６】
対流式ブランケットの製造方法であって、空気を通さない上方シートと空気を通さない下方シートとをそれらの外縁部において接合して実質的に長方形の胴部を有する膨張可能な構造を形成する工程（ａ）と、実質的に前記胴部の縦方向に沿って２つの輪状シール部を設けて幅と長さを有する２つの細長い開口をそれぞれ規定し、前記２つの細長い開口のそれぞれを実質的に前記胴部の縦方向に沿って延設する工程（ｂ）と、前記構造に加熱された空気を入れて当該ブランケットを膨らませることを可能にする少なくとも１つの入口ポートを設ける工程（ｃ）と、前記胴部に設けられた非膨張エリアと前記２つの細長い開口の各々との間で当該ブランケットが膨らまされた状態の時に患者に向く位置において複数の孔列を前記胴部に沿って設ける工程（ｄ）とを含み、前記構造がさらに頭部と足部を有し、徐々に細くなるテーパの態様で前記頭部が前記胴部の１つの辺から当該ブランケットの頭端まで延び、徐々に細くなるテーパの態様で前記足部が前記胴部の他の辺から当該ブランケットの足端まで延び、したがって当該ブランケットの前記頭端と前記足端の各々の幅は前記胴部の幅よりも狭く、前記非膨張エリアが前記２つの細長い開口の間に挟まれており、前記複数の孔列から出る加熱された空気が前記非膨張エリアに向かう対流式ブランケットの製造方法。
【請求項１７】
前記工程（ａ）において前記構造の前記頭部と前記足部のおのおのを等脚台形の形状にする工程をさらに含み、前記頭部の頭エリアに開口を設ける工程をさらに含む請求項１６に記載の対流式ブランケットの製造方法。
【請求項１８】
加熱された空気を前記頭エリアに向けるために前記頭エリアにおける前記開口の少なくとも一部分に隣接する位置に複数の孔を設ける工程と、当該ブランケットの前記足部において圧力低下を引起して当該ブランケットの内部において加熱された空気のより均一に分布する流れを生じせしめるために前記足端と前記足部に隣接する位置に複数の孔を設ける工程とをさらに含む請求項１７に記載の対流式ブランケットの製造方法。
【請求項１９】
前記２つの細長い開口のうちの対応する開口と前記非膨張エリアとの間の位置において２つのフラップの各々における縦方向縁を当該ブランケットの下面に固定的に取付ける工程をさらに含む請求項１６に記載の対流式ブランケットの製造方法。
【請求項２０】
前記上方シートに複数の孔の２つの組を設ける工程と、前記２つの細長い開口のうちの対応する開口と、前記対応する開口に近接する当該ブランケットの前記胴部の縦方向外縁との間の位置に前記複数の孔の各組を配する工程とをさらに含む請求項１６に記載の対流式ブランケットの製造方法。
【発明の詳細な説明】
【技術分野】
【０００１】
本発明は、対流式加温ブランケットに関し、特に患者の腕を通すことが可能な開口を有するとともに、良化された空気流分布を得るために設計された下敷ブランケットに関する。
【背景技術】
【０００２】
全身用下敷ブランケットは知られている。そのようなものの一つが、米国特許出願公開公報第２００６／００５２８５１号とその分割出願公開公報第２０１１／００９８７９４号に開示されている。具体的には米国特許出願公開公報第２００６／００５２８５１号は、２つの縦方向シール部を有する全身用下敷ブランケットを開示している。この開示されたブランケットにおいては、縦方向シール部に沿って目打ちが設けられていて、これら目打ちにより縦方向シール部を開くことができ、患者の腕をそこに通すことが可能になっている。このような構成における問題点は、上に患者が横たわっているために、時によっては縦方向シール部を引裂くことが難しいことである。加えて、ブランケットを手術台に載せるためには、手術台に沿ってブランケットを引張らなければならないこともある。これにより縦方向シール部が引裂かれ、ブランケットの操作に影響を及ぼしてしまう可能性もある。
【発明の概要】
【０００３】
本発明のブランケットは、全身用対流式下敷ブランケットである。このブランケットは、頭部、胴部、および足部を有する。胴部は、実質的に長方形をしている。頭部と足部のおのおのは、徐々に細くなるテーパの態様で、胴部の推定上の対向辺端から延びており、頭部と足部のおのおのは等脚台形の形状をしている。頭部と足部の等脚台形における基部底辺は対応する胴部の辺端であり、ここから頭部と足部が延びている。一方、頭部と足部の上辺は、それぞれ胴部の辺端と平行なブランケットの頭端と足端である。２つの細長い開口が設けられている。これら細長い開口の各々は、輪状シール部により画成されるとともに、実質的に胴部の縦方向に沿って延びている。患者がブランケットに載せられている時に患者の胴の主要部分が横たわる非膨張エリアが、２つの細長い開口の間に挟まれている。別の輪状シール部により画成される頭エリアが頭部に設けられていて、別の開口がこの輪状シール部により取囲まれている。この開口は、実質的に長方形に近い卵形であってもよい。頭エリアに隣接する上方シートの選択された部分に、複数の孔が設けられている。非膨張エリアと細長い開口の間の位置において、実質的に胴部の縦方向に沿って複数の孔列がブランケットの上方シートに設けられている。２つの使用可能な空気入口ポートの一方を介して、加熱された空気がブランケットに入れられる。圧力低下を引起してブランケット内の空気流分布を拡大する目的で、足部はブランケットの上方シートに選択的にあけられた複数の孔を有する。
【０００４】
ブランケットの下面に、２つのタックフラップが取付けられている。各タックフラップは複数の縦縁を有しており、これら縦縁のうちの１つが対応する細長い開口の縦縁に実質的に沿って固定的に取付けられている。必須ではないが、ブランケットの折り畳み性や可動性を向上させるために、縦縁に直交する各タックフラップの辺縁を、関連する細長い開口の２つの端を越えて、ブランケットの下面に取外し可能にあるいは取外しができないように取付け、これに密に接触させるようにしてもよい。ブランケットの下面に固定的に取付けられていない各タックフラップの縦部分は、ブランケットの外縁から離れる方向に延びている。患者と手術台の両方またはこれらのうちの一方、あるいはブランケットが載る支持台に対して相対的にブランケットの位置を変える必要がある場合、患者がブランケットに横たわっていても、タックフラップの露出している縦部分を使用して支持台上のブランケットを操作することができ、またタックフラップはブランケットのための支持体として働き得る。最終的にブランケットを位置決めした後は、縦縁に直交するタックフラップの辺縁をブランケットの下面から取外してもよい。自由な垂下状態にあるタックフラップを使用して、ブランケットが載る支持台や手術台にブランケットを留めてもよい。
【０００５】
それゆえに本発明は、下敷ブランケットに関する。このブランケットは、空気を通さない上方シートと、空気を通さない下方シートとを備える。上方シートと下方シートはそれらの外縁部において互いに接合されて膨張可能な構造を形成し、この構造が外縁部を有する。構造の外縁部がその内側に頭部と、胴部と、足部とを画定し、頭部と足部の各々の両縦方向辺が、胴部の対向辺から構造の頭端や足端までの間で、テーパ状に互いに徐々近づくようになっていて、構造の内部における均一分布の空気流を促進する構造のための形状構成を作る。本発明のブランケットは、２つの細長い開口と、少なくとも１つの入口ポートと、複数の孔とをさらに備える。実質的に胴部の縦方向に沿うとともにブランケットに沿って縦に延びる輪状シール部により、２つの細長い開口の各々が画成されている。胴部に設けられた非膨張エリアが２つの細長い開口の間に挟まれていて、患者がブランケットの上方シートに載せられている時に患者の胴が非膨張エリアに載るように構成されている。入口ポートは、構造に設けられている。複数の孔は上方シートに形成されていて、構造を膨らませるために入口ポートを介して入れられた加熱された空気をこれら複数の孔が逃がすようになっている。複数の孔は、複数の孔列を含んでいる。複数の孔列は非膨張エリアの縦辺に沿って設けられていて、構造が膨らまされた状態の時に複数の孔列が患者に向き、したがって複数の孔列から出る加熱された空気が患者に送られるようになっている。
【０００６】
また本発明は、対流式ブランケットにも関する。このブランケットは、空気を通さない上方シートと、空気を通さない下方シートとを備える。上方シートと下方シートとはそれらの外縁部において接合されて、膨張可能な構造を形成している。この構造は、胴部と、頭部と、足部とを有する。胴部は、実質的に長方形をしている。徐々に細くなるテーパの態様で頭部は胴部の１つの辺からブランケットの頭端まで延びている。徐々に細くなるテーパの態様で足部は胴部の他の辺からブランケットの足端まで延びている。したがってブランケットの頭端と足端の各々の幅は胴部の幅よりも狭い。胴部は、非膨張エリアを有する。ブランケットは、２つの細長い開口と、少なくとも１つの入口ポートと、複数の孔列とをさらに備える。２つの細長い開口は、実質的に胴部の縦方向に沿って延び、非膨張エリアは２つの細長い開口の間に挟まれている。入口ポートは、加熱された空気を構造に入れてブランケットを膨らませることを可能にする。非膨張エリアと２つの細長い開口の各々との間でブランケットが膨らまされた状態の時に患者に向く位置において、複数の孔列は胴部に沿って設けられ、したがって複数の孔列から出る加熱された空気が非膨張エリアに向かうようになっている。
【０００７】
さらに本発明は、対流式ブランケットの製造方法にも関する。この製造方法は、空気を通さない上方シートと空気を通さない下方シートとをそれらの外縁部において接合して実質的に長方形の胴部を有する膨張可能な構造を形成する工程（ａ）と、２つの細長い開口を実質的に胴部の縦方向に沿って延設する工程（ｂ）と、構造に加熱された空気を入れてブランケットを膨らませることを可能にする少なくとも１つの入口ポートを設ける工程（ｃ）と、胴部に設けられた非膨張エリアと２つの細長い開口の各々との間でブランケットが膨らまされた状態の時に患者に向く位置において複数の孔列を胴部に沿って設ける工程（ｄ）とを含む。構造は、さらに頭部と足部を有する。徐々に細くなるテーパの態様で、頭部は胴部の１つの辺からブランケットの頭端まで延びている。徐々に細くなるテーパの態様で、足部は胴部の他の辺からブランケットの足端まで延びている。したがってブランケットの頭端と足端の各々の幅は胴部の幅よりも狭い。非膨張エリアは、２つの細長い開口の間に挟まれている。複数の孔列から出る加熱された空気が非膨張エリアに向かうようになっている。
【図面の簡単な説明】
【０００８】
添付図面と連係した本発明の以下の説明により、本発明が明らかとなり、また本発明が最も良く理解される。添付図面は、次の通りである。
【図１】本発明ブランケットの平面図である。
【図２】図１のブランケットの断面図である。
【図３】患者が上に横たわっている本発明ブランケットの断面図である。
【図４】患者が上に横たわっている本発明ブランケットの平面図である。
【発明を実施するための形態】
【０００９】
図１と図２を参照するに、本発明のブランケット２は対流式ブランケットであり、上方シートまたは層４と下方シートまたは層６とを備える。上方シート４と下方シート６とは、それらの外縁部８において接合されており、膨らませることが可能な構造を形成する。外縁部８の内側に、頭部１０、胴部１２、および足部１４が設けられている。胴部１２は、ブランケットの縦方向（長手方向）に沿って延びる実質的な長方形をしている。この胴部長方形は２つの対向辺を有し、これら対向辺は連結部とみなすことができるか、あるいは推定上の辺端１２ａと１２ｂとなっている。胴部１２は、辺端１２ａと１２ｂにおいて、頭部１０と足部１４にそれぞれ合流または結合する。
【００１０】
図示の頭部１０は、徐々に細くあるいは狭くなるテーパの態様で、胴部１２の辺端１２ａからブランケットの頭端１０ａまで延びている。同様に、図示の足部１４も、徐々に狭くなるテーパの態様で、胴部１２の辺端１２ｂからブランケットの足端１４ａまで延びている。したがって、例としてのブランケットにおける頭部１０と足部１４の各々は、等脚台形の形状である。等脚台形頭部１０の平行辺は、破線１２ａ１により示される辺端１２ａと頭端１０ａである。等脚台形足部１４の平行辺は、破線１２ｂ１により示される辺端１２ｂと足端１４ａである。等脚台形なので頭部１０と足部１４の各々における２つのテーパ傾斜辺は、長さが等しい。したがって、組み立てられたブランケット２は、実施的に連続的であり、鋭い角や曲がりを持たない内部空間（後述する流路は別にして）を有する構造となっている。よってブランケット２は、その内部において空気流の一様な分布を促進する。
【００１１】
上述の如く、ブランケット２はその外縁部８において封止されている。ブランケット２の下方部に、自己完結型の封止された膨らませることが可能でない、すなわち非膨張のエリア１６が設けられている。エリア１６は使用者にブランケット足部１４の位置を知らせるのであり、これにより最初に包みからブランケットを取り出す時に、使用者がブランケットの向きを推測する必要はないようになっている。エリア１６は、ブランケットに関する記号や書込みなどの情報を使用者に与えることができるブランケット上の場所であってもよい。
【００１２】
２つの細長い開口１８ａと１８ｂが、実質的にブランケット２の胴部の縦方向に沿って延びている。細長開口１８ａと１８ｂの第１の端１８ａ１と１８ｂ１は、部分的に頭部８の中へと延びている。細長開口１８ａと１８ｂは、端が無い、すなわち輪状のシール部２０ａと２０ｂにより形成されている。輪状シール部２０ａと２０ｂの各々は、その両端にシール穴を有する。これらシール穴は、細長開口１８ａと１８ｂの歪みを軽減するためのものである。すなわちシール部２０ａにおいて、シール穴２０ａ１が端１８ａ１に設けられ、シール穴２０ａ２が端１８ａ２に設けられている。同様にシール部２０ｂにおいて、シール穴２０ｂ１が端１８ｂ１に設けられ、シール穴２０ｂ２が端１８ｂ２に設けられている。細長開口１８ａと１８ｂの各々の両端に対する歪み軽減により、これら細長開口の保全性が強化されるとともに、細長開口が伸ばされる際に、ほとんどの場合細長開口の端が裂けることはなく、また図１に示される状態を越えて伸びることもない。図１に示される例としてのブランケットでは、細長開口１８ａと１８ｂの各々の長さは、約３０インチから約４０インチ（約７６ｃｍから約１０２ｃｍ）の範囲にあってもよく、好ましくは３２インチから３７インチ（８１ｃｍから９４ｃｍ）の範囲にあってもよい。細長開口１８ａと１８ｂの各々の幅は、約１／４インチから約１と１／２インチ（約０．６４ｃｍから約３．８０ｃｍ）の範囲にあってもよい。
【００１３】
膨らませることが可能でない、すなわち非膨張のエリア２２が、胴部１２に設けられている。非膨張エリア２２は、端が無い、すなわち輪状のシール部２４により形成または画成されている。非膨張エリア２２に隣接する上方シート４の部分と非膨張エリア２２を越えた上方シート４の部分に、孔２６と２８の多数の列が胴部１２の縦方向すなわち長手方向に沿って設けられている。孔２６の縦４列の組と孔２８の縦４列の組との間に、非膨張エリア２２が挟まれている。孔２６の縦４列の中で最も非膨張エリア２２から遠い列２６ａは、それよりも非膨張エリア２２に近い他の３列よりも孔の数が多くなっている。同様に孔２８の縦４列の中で最も非膨張エリア２２から遠い列２８ａは、それよりも非膨張エリア２２に近い他の３列よりも孔の数が多くなっている。さらに別の多数の孔、すなわち孔３０の８本の列も存在する。孔３０の８列は、足部１４に合流する胴部１２の端部に縦方向（長手方向）に沿って設けられている。図４に示される如く、患者がブランケットの上方シート４に載せられ、患者の体が主に非膨張エリア２２により支えられている時に、孔２６、２８、および３０の列からの空気の排出により、患者の体を温める加熱された空気の包みが形成される。
【００１４】
頭部１０に切抜きまたは開口３２が設けられている。開口３２は、端が無い、すなわち輪状のシール部３４により画成されている。輪状シール部３４の幅は、ブランケットに設けられた他の輪状シール部の幅よりも広い。開口３２を患者の頭が載る頭部１０の頭エリアの一部とみなしてもよい。顔を上に向けた状態で、あるいは開口３２に向かって顔を下に向けた状態で、患者はブランケットに横たわることができる。患者がうつぶせにブランケットに横たわる場合、開口３２を介して空気チューブを患者に挿管して、患者の呼吸を支援してもよい。図示の如く、集合的に参照番号３６により示される多数の孔が上方シート４に存在しており、加熱された空気を排出して患者の頭を温めるために、これらの孔３６は開口３２に隣接した頭エリアの左上側に設けられている。さらに、孔３８ａの組と孔３８ｂの組が、より患者の首に近いブランケットの頭エリアの上方シート４に設けられている。
【００１５】
胴部１２の下部と足部１４は、上方シート４と下方シート６とを接合する多数の点状シール部４０を有している。点状シール部４０は、ブランケットのその部分が膨らむのを防ぐよう働く。さらに、参照番号４２ａ、４２ｂ、および４２ｃにより示される多数の孔が、足部１４に設けられている。これらの孔は加熱された空気がブランケット内で足部１４に引き込まれることを可能にし、実質的に足部１４において空気圧の低下を生じさせるよう働き、これによりブランケット全体に渡り加熱された空気をいっそうよく循環させ、あるいは分配する。その結果、患者はより効率的に温められる。図示の如くブランケット頭部１０の外縁に位置する入口ポート４４ａを介してブランケット内に加熱された空気が入れられている時に、この良くされた空気分配が起こる。別の入口ポート４４ｂが、ブランケット足部１４の外縁に設けられている。稼動中は、一方の入口ポートのみが使用される。これら入口ポートの詳細は、本出願の譲受人に譲渡された米国特許第７、６５８、７５６号に開示されている。参照により米国特許第７、６５８、７５６号の開示内容は本出願に組み込まれる。
【００１６】
ブランケット２の平面図である図１を参照すると、おおむね辺端１２ａと辺端１２ｂの間に位置するように示されている胴部１２は実質的に長方形であり、この長方形は所定の幅と、対向する辺端１２ａと辺端１２ｂにより画定される長さを持つ。ここで辺端１２ａと辺端１２ｂは、それぞれ破線１２ａ１と破線１２ｂ１により参照しやすく示されている。図示の頭部１０は、胴部１２の辺端１２ａから頭端１０ａにかけて、次第に細くなるテーパを有している。したがって、頭端１０ａにおけるブランケットの幅１０ａ１は、例えば辺端１２ａにおける幅として参照される胴部１２の幅よりも小さい。足部１４についても同じであり、足部１４の２つの縦縁辺は、足部１４の幅が同様に次第に狭くなるように胴部１２の辺端１２ｂから足端１４ａまで延びている。その結果、足部１４の足端１４ａにおける幅１４ａ１は、例えば辺端１２ｂにおける幅である胴部１２の幅よりも小さい。このように構成されているので、頭部１０と足部１４の形はいずれも等脚台形である。ここで、辺端１２ａと頭部１０の頭端１０ａとが平行であり、また辺端１２ｂと足部１４の足端１４ａとが平行であり、頭部１０と足部１４のそれぞれにおける２つのテーパ傾斜辺は長さが等しい。
【００１７】
図２において参照番号６ｂが付されたブランケット下面に、２つのタックフラップ４６ａと４６ｂが取付けられている。タックフラップ４６ａは、縦縁４６ａ１を有する。タックフラップ４６ｂは、縦縁４６ｂ１を有する。縦縁４６ａ１と４６ｂ１はブランケット下面６ｂに固定的に取付けられており、図２において輪郭破線４６ａ′と４６ｂ′により示される如く、タックフラップ４６ａと４６ｂは自由な垂下状態を取り得る。製品出荷の容易化のために、製品使用前に、縦縁４６ａ１に直交するタックフラップ４６ａの辺縁４６ａ２と４６ａ３、ならびに縦縁４６ｂ１に直交するタックフラップ４６ｂの辺縁４６ｂ２と４６ｂ３を取外し可能に、例えば両面テープによりブランケット下面に取付けてもよい。
【００１８】
図２は図１における２−２線に沿った断面図であり、特に膨らまされた状態のブランケットを示している。この場合、ブランケットの上方シート４は、胴部１２の非膨張エリア２２を挟む２つの膨らまされた通路２７と２９を有することになる。さらに２つの外側の流れ通路４８ａと４８ｂも、図示されている。ブランケットが膨らまされている状態の時に加熱された空気を患者に向けて出すために、通路２７、２９、４８ａ、および４８ｂの各々は複数の孔を有する。患者を温める流れ通路２７と２９からの加熱された空気の放出は、例としての方向矢印５０ａと５０ｂによりそれぞれ示されている。
【００１９】
図３はブランケットの断面図であり、図示のブランケットは支持体、例えばマットレス５２の上に水平に置かれている。そして、マットレス５２も別の支持体、例えば手術台５４の上に水平に置かれている。図示の如く、ブランケットをマットレス５２に留めるために、タックフラップ４６ａと４６ｂを使用してもよい。図示の患者５６はブランケットの上方シート４に載せられており、患者の腕が細長い開口１８ａと１８ｂを通って延びている。図４も合わせて参照されたい。
【００２０】
図４に示されるように、ブランケットの中心に向けて通路４８ａと４８ｂが内側に折り込まれており、そして患者の腕が細長い開口１８ａと１８ｂを通って延びているので、ブランケットは患者にしっかり留められている。図４ではブランケットに対して患者は顔を上に向けているが、うつ伏せの状態で患者をブランケットに載せる使用例も存在し、この場合患者の顔を頭部１０の開口３２に面するようにする。そして患者の呼吸を助けるために、空気供給チューブを患者に挿管してもよい。患者の頭が開口３２を通って落ちてしまわないようにするために、開口３２の寸法を６ないし９インチ（１５ないし２３センチメートル）の範囲、好ましくは７ないし８インチ（１８ないし２０センチメートル）の範囲に制限してもよい。
【図１】
0006396925.tif 000002
【図２】
0006396925.tif 000003
【図３】
0006396925.tif 000004
【図４】
0006396925.tif 000005